【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
ディスクと、
上記ディスクを回転可能に収納すると共に、上記ディスクの一部
を内外周に亘って外方に臨ませる記録及び／又は再生用開口部が設けられたカートリッジ
本体と、
上記カートリッジ本体に移動可能に取り付けられ、上記記録及び／又は再生用開口部を
開閉するシャッタ部材を有し、
上記カートリッジ本体の上記シャッタ部材が摺動する面側であって、上記記録及び／又
は再生用開口部を挟んで上記シャッタ部材が移動する領域と対向する領域に、上記記録及
び／又は再生用開口部に連続して有底の第１の凹部が形成され、
上記シャッタ部材は、上記記録及び／又は再生用開口部を閉塞するシャッタ部の一側に
、上記記録及び／又は再生用開口部を閉塞する位置に移動されたとき、上記シャッタ部と
上記第１の凹部との間に発生する空間を閉塞する折り曲げ部が形成され、
上記第１の凹部の底面には、上記シャッタ部材が上記記録及び／又は再生用開口部を閉
塞するときの上流側に、上記第１の凹部より更に深い第２の凹部が設けられていることを
特徴とするディスクカートリッジ。
【請求項２】
上記カートリッジ本体の上記シャッタ部材が摺動する面側の上記シャッタ部材が摺動す
る領域には、凹状のシャッタスライド部が形成され、上記有底の第１の凹部は、上記シャ
ッタスライド部より深く形成されている請求項１記載のディスクカートリッジ。
【請求項３】
上記第２の凹部は、上記第１の凹部の底面の先端部に形成された面取り部で形成されて
いる請求項１記載のディスクカートリッジ。
【請求項４】
上記第２の凹部は、上記第１の凹部の底面の先端部に形成された曲面で形成されている
請求項１記載のディスクカートリッジ。
【請求項５】
上記第２の凹部は、上記第１の凹部の底面の基端と先端を傾斜面で構成して形成されて
いる請求項１記載のディスクカートリッジ。
【手続補正２】
【補正対象書類名】明細書
【補正対象項目名】０００３
【補正方法】変更
【補正の内容】
【０００３】
ところで、ディスクカートリッジにおいては、収納されるディスク状記録媒体の大きさ
に対応してできるだけ小型化を図るようにしている。これは、ディスクカートリッジを用
いる記録及び／又は再生装置の小型化を図り、更に、ディスクカートリッジの取
り扱いを容易にするためであり、更にまた、カートリッジを構成する材料の削減を図り、
製造コストを削減するためである。
【手続補正３】
【補正対象書類名】明細書
【補正対象項目名】０００４
【補正方法】変更
【補正の内容】
【０００４】
収納されるディスク状記録媒体に対応して、小型化を図ったディスクカートリッジとして、下記特許文献１に記載されたものがある。特許文献１に開示されるディスクカートリッジは、記録及び／又は再生装置への挿入端側となる一の側面側をほぼ円弧状にすることにより、ディスクカートリッジ自体の小型化を実現している。特許文献１に開示されるディスクカートリッジは、光ディスクを収納したカートリッジ本体にシャッタ部材によって開閉される記録及び／又は再生用開口部を設け、この開口部を介して光ディスクの一部を外方に臨ませるようにしている。光ディスクに対する情報信号の記録又は再生は、記録及び／又は再生用開口部を介してカートリッジ本体の外方に臨まされる光ディスクに記録再生用のヘッド部を構成する光ピックアップを対向させて行われる。
【手続補正４】
【補正対象書類名】明細書
【補正対象項目名】００１２
【補正方法】変更
【補正の内容】
【００１２】
本発明に係るディスクカートリッジは、ディスクと、ディスクを回転可能に収納すると共に、ディスクの一部を内外周に亘って外方に臨ませる記録及び／又は再生用開口部が設けられたカートリッジ本体と、カートリッジ本体に移動可能に取り付けられ、記録及び／又は再生用開口部を開閉するシャッタ部材を有する。カートリッジ本体のシャッタ部材が摺動する面側であって、記録及び／又は再生用開口部を挟んでシャッタ部材が移動する領域と対向する領域には、記録及び／又は再生用開口部に連続して有底の第１の凹部が形成されている。また、シャッタ部材は、記録及び／又は再生用開口部を閉塞するシャッタ部の一側に、記録及び／又は再生用開口部を閉塞する位置に移動されたとき、シャッタ部と第１の凹部との間に発生する空間を閉塞する折り曲げ部が形成されている。第１の凹部の底面には、シャッタ部材が記録及び／又は再生用開口部を閉塞するときの上流側に、第１の凹部より更に深い第２の凹部が設けられている。
【手続補正５】
【補正対象書類名】明細書
【補正対象項目名】００１５
【補正方法】変更
【補正の内容】
【００１５】
本発明を適用したディスクカートリッジ１は、ディスク状記録媒体として、例えば、光ディスク２を回転可能に収納したものであって、図１及び図２に示すように、上下一対の上下ハーフ３，４を突き合わせ結合したカートリッジ本体５を備え、このカートリッジ本体５内に光ディスク２を回転可能に収納している。
【手続補正６】
【補正対象書類名】明細書
【補正対象項目名】００４１
【補正方法】変更
【補正の内容】
【００４１】
また、捩りコイルバネ２９は、図１０（ａ）及び図１０（ｂ）に示すように、係止部３
３を、延設部３３ａ及び折り曲げ部３３ｃが第１のアーム部２９ａの延設方向から所定の
角度θ２及びθ３を有して折り曲げるよう形成することにより、更に係止孔２７からの抜
けを防止することができる。すなわち、図１１に示すように、捩りコイルバネ２９は、係
止部３３の先端部が延設部３３ａ及び折り曲げ部３３ｃの２点において所定の角度を有し
て折り曲げられることにより、延設部３３ａがコイルバネ取付片２６の上面側に延設され
、折り曲げ部３３ｃがコイルバネ取付片２６の下面側に延設される。したがって、シャッ
タ部材１５の開閉動作中に捩りコイルバネ２９又はシャッタ部材１５が上下方向となる図
１１中矢印Ｈ方向又はＩ方向に揺動された場合にも、係止部３３の延設部３３ａがコイル
バネ取付片２６の上面部に当接し、また折り曲げ部３３ｃがコイルバネ取付片２６の下面
部に当接するため、捩りコイルバネ２９とシャッタ部材１５との係合が外れることを防止
することができる。
【手続補正７】
【補正対象書類名】明細書
【補正対象項目名】００４８
【補正方法】変更
【補正の内容】
【００４８】
シャッタ部材１５がヘッド用開口部１３を開放した位置に保持されたディスクカートリッジ１をディスクドライブ装置から取り出すイジェクト操作を行うと、シャッタ部材１５は、上述した挿入動作と逆の動作をもってカートリッジ本体５に対し相対的に図１３中矢印Ｂ方向に移動していき、中心の第１のコイル部３０も同方向の矢印Ｂ方向に移動していく。捩りコイルバネ２９は、シャッタ部材１５が更に矢印Ｂ方向に移動し、第１のコイル部３０がシャッタ部材１５の移動方向側に位置する支持ピン４２の位置を超えると付勢方向が反転される。捩りコイルバネ２９は、付勢方向が反転されると、シャッタ部材１５を図１２中矢印Ｂ方向に移動するように付勢し、ヘッド用開口部１３を閉塞する方向に移動してヘッド用開口部１３を閉塞した位置に保持する。
【手続補正８】
【補正対象書類名】明細書
【補正対象項目名】００５０
【補正方法】変更
【補正の内容】
【００５０】
このシャッタ部材１５の開閉動作時において、捩りコイルバネ２９とシャッタ部材１５とは、捩りコイルバネ２９の第１のアーム部２９ａに形成された係止部３３の先端が折り曲げられることにより、折り曲げ部３３ｃがコイルバネ取付片２６の下面側に延設されているため、シャッタ部材１５の開閉動作中に捩りコイルバネ２９が図９中矢印Ｈ方向に揺動され、又はシャッタ部材１５が図９中矢印Ｉ方向に揺動された場合にも、係止部３３の折り曲げ部３３がコイルバネ取付片２６の下面部に当接するため、捩りコイルバネ２９とシャッタ部材１５との係合が外れることが防止される。
【手続補正９】
【補正対象書類名】明細書
【補正対象項目名】００５５
【補正方法】変更
【補正の内容】
【００５５】
なお、本発明に係るディスクカートリッジ１は、シャッタ部材１５が取り付けられたカートリッジ本体５の一方の側面８には、図１及び図６に示すように、ディスクドライブ装置側に設けられたシャッタ開放操作片６７が進入するガイド溝４３が設けられている。
【手続補正１０】
【補正対象書類名】明細書
【補正対象項目名】００５７
【補正方法】変更
【補正の内容】
【００５７】
そして、カートリッジ本体５のシャッタ部材１５が摺動する面である下ハーフ４の表面には、更に、ヘッド用開口部１３に一側に連続するようにして有底の第１の凹部３７が形成されている。この第１の凹部３７は、ヘッド用開口部１３を挟んでシャッタスライド部１９と対向する側に位置して、ヘッド用開口部１３の一側のほぼ全長に亘って形成されている。第１の凹部３７は、シャッタスライド部１９の深さＤ１より大きい深さＤ３をもって形成されている。これは、後述するように、記録及び／又は再生装置側に配設される記録及び／又は再生手段のヘッド部を構成する光ピックアップの進入量を大きくするためである。
【手続補正１１】
【補正対象書類名】明細書
【補正対象項目名】００８１
【補正方法】変更
【補正の内容】
【００８１】
そして、カートリッジホルダ５４に挿入されたディスクカートリッジ１は、更にカートリッジホルダ５４内に挿入されることにより、シャッタ部材１５がカートリッジ本体５に対し相対移動され、ヘッド用開口部１３が開放される。すなわち、図２３に示すように、ディスクカートリッジ１がカートリッジホルダ５４の途中まで挿入されると、カートリッジホルダ５４内に設けられたシャッタ開放操作片６７が、カートリッジ本体５の一方の側面８に形成したガイド溝４３に進入しシャッタ部材１５の連結片２１をシャッタ部材１５の移動方向下流側から当接する。
【手続補正１２】
【補正対象書類名】明細書
【補正対象項目名】００８２
【補正方法】変更
【補正の内容】
【００８２】
そして、ディスクカートリッジ１は、シャッタ開放操作片６７がシャッタ部材１５の連
結片２１に当接されることにより、シャッタ部材１５のカートリッジ本体５に対する移動
が規制された状態となる。この図２３に示す位置から更にディスクカートリッジ１をカー
トリッジホルダ５４の内方に向かう矢印Ｅ方向に挿入すると、カートリッジ本体５が矢印
Ｅ方向に移動し、図２４に示すように、ヘッド用開口部１３が開放される。
【手続補正１３】
【補正対象書類名】明細書
【補正対象項目名】００８８
【補正方法】変更
【補正の内容】
【００８８】
本発明に係るディスクカートリッジ１を用いることにより、ディスクカートリッジ１の小型化に対応して十分に小型化することが困難な光ピックアップ６１を、カートリッジ装着部に装着されるディスクカートリッジ１に対し近接させることができる。すなわち、光学ブロック６２の一部をディスクカートリッジ１側の第１の凹部３７内に進入させて、光ピックアップ６１を配置することができるためである。このように、光ピックアップ６１をディスクカートリッジ１に近接させることができることから、このディスクカートリッジ１を用いる記録及び／又は再生装置の薄型化を達成できる。
【手続補正１４】
【補正対象書類名】図面
【補正対象項目名】図２３
【補正方法】変更
【補正の内容】
【図２３】
2005190638.tif 000001
【手続補正１５】
【補正対象書類名】図面
【補正対象項目名】図２４
【補正方法】変更
【補正の内容】
【図２４】
2005190638.tif 000002